(57)【要約】【課題】様々な種類の用紙について、用紙の所定箇所を折り曲げることができる用紙折り装置と、複数の用紙の所定箇所を綴じることができるステープル処理装置とを提供する。【解決手段】用紙の種類を示す用紙情報を取得する情報取得部１４８と、立った状態の用紙の下縁に当接し上下方向に移動自在なエンドガイドを有し、そのエンドガイドが上下方向に移動することで用紙を上下方向に移動させる用紙移動機構１４１と、情報取得部１４８によって取得された用紙情報が示す用紙の種類に応じて、上記エンドガイドの移動量を、折り曲げ機構１４３が有するブレードが用紙の所定箇所に突き当たるように調節したり、ステープラが有する打込口が重ね合わされた用紙の所定箇所を挟み込むように調節したりする制御部１４７とを備えた。【選択図】        図１
2006076675.tif 000002
【特許請求の範囲】
【請求項１】
水平面に沿った状態から起立して立った状態の用紙を折り曲げる用紙折り装置において、
前記用紙の種類を示す用紙情報を取得する情報取得部と、
立った状態の用紙の下縁に当接し上下方向に移動自在な当接部を有し、該当接部が上下方向に移動することで該用紙を上下方向に移動させる用紙移動部材と、
前記用紙移動部材による用紙の移動領域内に配備されたものであって、上下方向に交わる横方向に延びる突当部材を有し、該用紙移動部材によって移動してきた用紙の、上下方向の所定箇所に該突当部材を突き当て該用紙を折り曲げる用紙折り部と、
前記突当部材が前記用紙の所定箇所に突き当たるように、前記情報取得部によって取得された用紙情報が示す用紙の種類に応じて前記当接部の移動量を調節する制御部とを備えたことを特徴とする用紙折り装置。
【請求項２】
前記用紙移動部材が、立った状態で重ね合わされた用紙を移動させるものであり、
前記用紙折り部が、重ね合わされた用紙の、上下方向の所定箇所に該突き当て部材を突き当て、重ね合わされた用紙を折り曲げるものであることを特徴とする請求項１記載の用紙折り装置。
【請求項３】
前記情報取得部が、用紙が有するコシの強さで該用紙の種類を示す用紙情報を取得するものであることを特徴とする請求項１記載の用紙折り装置。
【請求項４】
水平面に沿った状態から起立して立った状態で重ね合わされた用紙をステープルで綴じるステープル処理装置において、
前記用紙の種類を示す用紙情報を取得する情報取得部と、
立った状態で重ね合わされた用紙の下縁に当接し上下方向に移動自在な当接部を有し、該当接部が上下方向に移動することで、重ね合わされた用紙を上下方向に移動させる用紙移動部材と、
前記用紙移動部材による重ね合わされた用紙の移動領域内に配備されたものであって、重ね合わされた用紙を挟み込んでステープルを打ち込む打込口を有し、該用紙移動部材によって移動してきた重ね合わされた用紙の、上下方向の所定箇所を該打込口で挟み込ませ、重ね合わされた用紙をステープルで綴じるステープラと、
前記打込口が重ね合わされた用紙の所定箇所を挟み込むように、前記情報取得部によって取得された用紙情報が示す用紙の種類に応じて前記用紙移動部材の移動量を調節する制御部とを備えたことを特徴とするステープル処理装置。
【請求項５】
前記情報取得部が、用紙が有するコシの強さで該用紙の種類を示す用紙情報を取得するものであることを特徴とする請求項４記載のステープル処理装置。
【発明の詳細な説明】
【技術分野】
【０００１】
本発明は、水平面に沿った状態から起立して立った状態の用紙を折り曲げる用紙折り装置、および水平面に沿った状態から起立して立った状態で重ね合わされた用紙をステープルで綴じるステープル処理装置に関する。
【背景技術】
【０００２】
一般に、比較的高い頻度で行なわれる事務作業の一例として、例えば、プリンタやコピー機等といった画像形成装置によって画像が形成された複数の用紙を綴り用の針（ステープル）で綴じて用紙束を形成し、さらに、その用紙束を２つ折りにして小冊子を作成する等といった作業が挙げられる。このような作業を手軽に実行する装置として、ステープルによって複数の用紙を綴じるステープル処理を行なって用紙束を形成し、さらに、その用紙束を２つに折り曲げる折り曲げ処理を行なう装置が提案されている（例えば、特許文献１参照。）。
【特許文献１】特開平１１−３２２１７２号公報（第３−４６頁、図４７）
【発明の開示】
【発明が解決しようとする課題】
【０００３】
特許文献１に示す装置には、装置内に設けられた所定の搬送経路を順次に搬送されて来る用紙を立った状態で収納する収納機構が設けられている。この収納機構は、立った状態で収納された用紙を上下方向に移動させる役割も担っており、その用紙の移動領域内に、ステープル処理を実行するステープラや、上記の折り曲げ処理を実行する折り曲げ機構が配備されている。ステープラは、立った状態で重ね合わされた用紙を挟み込んでステープルを打ち込む打込口を有し、それらの用紙の中央等といった所定箇所を打込口で挟み込ませステープルで綴じるように構成されている。また、折り曲げ機構は、立った状態の用紙の上下方向に交わる横方向に延びる突当部材を有し、その用紙の中央等といった所定箇所に突当部材を突き当て用紙を２つに折り曲げるように構成されている。収納機構は、立った状態で収納された用紙を予め設定された所定距離だけ移動させて、用紙における上記の所定箇所を、ステープラの打込口の間や、折り曲げ機構の突当部材の前まで運ぶ。
【０００４】
ところで、このような装置には、用紙の厚み等に起因するコシの強さが互いに異なる様々な種類の用紙が用いられるが、例えば、カラー画像形成された表面に所定の表面処理が施されたコート紙等といった、比較的薄くコシが弱い用紙が処理対象の用紙として用いられた場合に、用紙が自重によって撓んだ姿勢で上記の収納機構に収納されてしまうことがよくある。しかしながら、収納機構は、用紙の撓み等とは関わり無く予め設定された所定距離だけ用紙を移動させてしまう。その結果、用紙における上記の所定箇所と、上記のステープラの打込口や折り曲げ機構の突当部材の位置とが互いにずれてしまい、この所定箇所とは異なる箇所にステープルが打ち込まれたり、この所定箇所とは異なる箇所が折り曲げられたりする等といった不具合が生じてしまう。
【０００５】
本発明は、上記事情に鑑み、様々な種類の用紙について、用紙の所定箇所を折り曲げることができる用紙折り装置と、複数の用紙の所定箇所を綴じることができるステープル処理装置とを提供することを目的とする。
【課題を解決するための手段】
【０００６】
上記目的を達成する本発明の用紙折り装置は、水平面に沿った状態から起立して立った状態の用紙を折り曲げる用紙折り装置において、
上記用紙の種類を示す用紙情報を取得する情報取得部と、
立った状態の用紙の下縁に当接し上下方向に移動自在な当接部を有し、その当接部が上下方向に移動することでその用紙を上下方向に移動させる用紙移動部材と、
上記用紙移動部材による用紙の移動領域内に配備されたものであって、上下方向に交わる横方向に延びる突当部材を有し、その用紙移動部材によって移動してきた用紙の、上下方向の所定箇所にその突当部材を突き当てその用紙を折り曲げる用紙折り部と、
上記突当部材が上記用紙の所定箇所に突き当たるように、上記情報取得部によって取得された用紙情報が示す用紙の種類に応じて上記当接部の移動量を調節する制御部とを備えたことを特徴とする。
【０００７】
本発明の用紙折り装置によれば、処理対象の用紙が、例えば、立った状態となったときに自重で撓んでしまうような薄くコシが弱い用紙であるとか、撓みがほとんど発生しない厚くコシが強い用紙である等といった、用紙の種類を示す用紙情報が上記情報取得部で取得される。そして、用紙の撓みの有無に関わらず上記突当部材を用紙の所望の箇所に突き当てるために、上記制御部によって、例えば、撓みによる位置ずれを補正する等といった、用紙を動かす上記当接部の移動量の調節が、上記用紙情報が示す用紙の種類に応じて実行される。これにより、処理対象の用紙が、コシが弱く撓みやすい用紙であっても、ほとんど撓まないコシが強い用紙であっても、上記突当部材を用紙の所望の箇所に突き当てて、この所望の箇所を２つに折り曲げることができる。つまり、本発明の用紙折り装置によれば、様々な種類の用紙について、用紙の中央等といった所定箇所を折り曲げることができる。
【０００８】
ここで、本発明の用紙折り装置は、「上記用紙移動部材が、立った状態で重ね合わされた用紙を移動させるものであり、
上記用紙折り部が、重ね合わされた用紙の、上下方向の所定箇所にその突き当て部材を突き当て、重ね合わされた用紙を折り曲げるものである」という形態であってもよい。
【０００９】
このような形態の用紙折り装置によれば、複数の用紙に対して、用紙を重ね合わせて折り曲げるという重ね折り処理を容易に施すことができる。
【００１０】
また、本発明の用紙折り装置は、「上記情報取得部が、用紙が有するコシの強さでその用紙の種類を示す用紙情報を取得するものである」という形態であってもよい。
【００１１】
このような形態の用紙折り装置によれば、用紙が有するコシの強さを上記用紙情報から容易に把握することができるので、上記制御部による移動量の調節の簡単化が図られる。
【００１２】
また、上記目的を達成する本発明のステープル処理装置は、水平面に沿った状態から起立して立った状態で重ね合わされた用紙をステープルで綴じるステープル処理装置において、
上記用紙の種類を示す用紙情報を取得する情報取得部と、
立った状態で重ね合わされた用紙の下縁に当接し上下方向に移動自在な当接部を有し、その当接部が上下方向に移動することで重ね合わされた用紙を上下方向に移動させる用紙移動部材と、
上記用紙移動部材による重ね合わされた用紙の移動領域内に配備されたものであって、重ね合わされた用紙を挟み込んでステープルを打ち込む打込口を有し、その用紙移動部材によって移動してきた重ね合わされた用紙の、上下方向の所定箇所をその打込口で挟み込ませ、重ね合わされた用紙をステープルで綴じるステープラと、
上記打込口が重ね合わされた用紙の所定箇所を挟み込むように、上記情報取得部によって取得された用紙情報が示す用紙の種類に応じて上記用紙移動部材の移動量を調節する制御部とを備えたことを特徴とする。
【００１３】
本発明のステープル処理装置によれば、上記制御部によって、例えば、撓みによる位置ずれを補正する等といった、用紙を動かす上記当接部の移動量の調節が、上記用紙情報が示す用紙の種類に応じて実行され、コシが弱い薄い用紙であるとかコシが強い厚い用紙である等といった用紙の種類に関わらず、上記打込口によって、重ね合わされた用紙における所望の箇所が挟み込まれステープルで綴られる。つまり、本発明のステープル処理装置によれば、様々な種類の用紙について、複数の用紙の中央等といった所定箇所を綴じることができる。
【００１４】
ここで、本発明のステープル処理装置は、「上記情報取得部が、用紙が有するコシの強さでその用紙の種類を示す用紙情報を取得するものである」という形態であってもよい。
【００１５】
このような形態のステープル処理装置によれば、用紙が有するコシの強さを上記用紙情報から容易に把握することができるので、上記制御部による移動量の調節の簡単化が図られる。
【発明の効果】
【００１６】
以上、説明したように、本発明によれば、様々な種類の用紙について、用紙の所定箇所を折り曲げることができる用紙折り装置と、複数の用紙の所定箇所を綴じることができるステープル処理装置とを提供することができる。
【発明を実施するための最良の形態】
【００１７】
以下図面を参照して本発明の実施の形態を説明する。
【００１８】
図１は、本発明の一実施形態を備えた後処理装置の一例を示す図である。
【００１９】
図１に示す後処理装置１は、図示しない画像形成装置から、画像が形成された用紙Ｐを受取り、その用紙Ｐに折り曲げ処理やステープル処理を施す装置であり、最終処理装置１０と、折畳装置２０と、インタポーザ３０と、インタフェースモジュール４０とを備えている。
【００２０】
また、最終処理装置１０は、用紙排出装置１１と、パンチ装置１２と、トップトレイ１３と、ブックレット１４とを備えており、この最終処理装置１０が備えているブックレット１４が、本発明の用紙折り装置とステープル処理装置とを兼ねた一実施形態に相当する。
【００２１】
この図１の例では、図示しない画像形成装置から、画像が形成された用紙Ｐと、用紙情報Ｊ１、枚数情報Ｊ２、サイズ情報Ｊ３、およびモード情報Ｊ４といった、それぞれ後述する複数の情報とが、インタフェースモジュール４０に渡される。ここで、用紙情報Ｊ１は、本発明にいう用紙情報の一例に相当する。
【００２２】
インタポーザ３０には、ユーザが用紙Ｐをセットするための用紙トレイ３１が設けられている。この用紙トレイ３１にセットされた用紙Ｐは、ピックアップロール３２によって内部に取り込まれ、搬送ロール３３によってインタフェースモジュール４０まで運ばれる。この用紙Ｐのインタポーザ３０内部の移動は、インタポーザ３０内部に配置された用紙センサ３４によって監視される。
【００２３】
インタフェースモジュール４０の内部には、複数の搬送ロール４１と、各搬送ロール４１間に配設された図示しない案内部材によって用紙搬送経路４２が形成されており、画像形成装置やインタポーザ３０から渡された用紙Ｐはこの用紙搬送経路４２を、インタフェースモジュール４０の後段に配置された折畳装置２０まで運ばれる。また、用紙搬送経路４２における用紙Ｐの通過は、用紙搬送経路４２に配置された複数の用紙センサ４３で監視される。また、画像形成装置から渡された複数の情報Ｊ１〜Ｊ３は、最終処理装置１０が備えているブックレット１４に渡される。
【００２４】
折畳装置２０の内部には、例えばＺ折り等といった折畳処理を施すようにユーザから指定された場合に用紙Ｐが通過する折畳用紙搬送経路２１と、用紙Ｐを、折畳装置２０の後段に配置された最終処理装置１０までそのまま運ぶための通常搬送経路２２との２種類の搬送経路が、複数の搬送ロール２３と図示しない案内部材によって形成されており、また各搬送経路２１，２２に配置された複数の用紙センサ２４によって用紙Ｐの通過が監視されている。さらに、折畳用紙搬送経路２１の途中には、折畳ロール２５が配置されており、ユーザからＺ折処理の指定がある場合には、用紙Ｐが、この折畳用紙搬送経路２１を搬送されながら、この折畳ロール２５でニップされることにより折りたたまれる。また、折畳装置２０には、折りたたまれた用紙Ｐが収納される収納部２６も備えられている。
【００２５】
最終処理装置１０は、上述したように、用紙排出装置１１と、パンチ装置１２と、トップトレイ１３と、ブックレット１４とを備えており、これら各要素間を結ぶ用紙搬送経路１５が、複数の搬送ロール１６と図示しない案内部材によって形成されている。また、この用紙搬送経路１５には複数の用紙センサ１７が配置され、用紙Ｐの通過を監視している。
【００２６】
最終処理装置１０に渡された用紙Ｐは、まずパンチ装置１２を通過し、ユーザに指定された場合に穴あけ処理が施される。パンチ装置１２を通過した用紙Ｐは、ユーザからステープル処理を施すように指示があった場合には用紙排出装置１１まで搬送される。また、複数の用紙Ｐにステープル処理を施し、さらに２つ折りに折り曲げる小冊子作成処理を施すようにユーザから指示された用紙Ｐは、ブックレット１４まで搬送される。さらに、特に処理の指示が無い用紙Ｐはトップトレイ排出口１８まで搬送されて、このトップトレイ排出口１８からトップトレイ１３に排出される。
【００２７】
ここで、この図１に示す後処理装置１における本発明としての特徴は、ブックレット１４にあり、以下では、このブックレット１４に注目して説明を続ける。
【００２８】
このブックレット１４は、ユーザから指定された場合に、重ね合わされた用紙Ｐの中央にステープル処理を施して用紙束を形成し、さらに、この用紙束を中央で２つ折りに折り曲げて小冊子を作成するという一連の処理からなる小冊子作成処理を実行する。ここで、この重ね合わされた用紙Ｐの中央が、本発明にいう「上下方向の所定箇所」の一例に相当する。このブックレット１４は、用紙収納機構１４１と、ステープラ１４２と、折り曲げ機構１４３と、タンパ１４４と、排出ロール１４５と、ブックレットトレイ１４６と、制御部１４７と、情報取得部１４８とを備えている。ここで、ステープラ１４２、折り曲げ機構１４３、制御部１４７、および情報取得部１４８が、それぞれ本発明にいうステープラ、用紙折り部、制御部、および情報取得部の各一例に相当する。ここで、制御部１４７および情報取得部１４８については後述し、まず、ブックレット１４のその他の要素について説明する。
【００２９】
図２および図３は、ブックレットを、部分的な内部構造とともに示す斜視図である。ここで、図２および図３には、図を見やすくするために、図１に示すブックレットトレイ１４６の図示が省略されたブックレット１４が示されており、図２には、ブックレット１４をブックレットトレイ１４６側から見た斜視図が示されており、図３には、ブックレット１４を図２とは反対側から見た斜視図が示されている。
【００３０】
図２には、用紙収納機構１４１と、ステープラ１４２と、タンパ１４４とが示されている。また、用紙収納機構１４１は、エンドガイド１４１ａと、コンパイルトレイ１４１ｂと、３つのパドル１４１ｃと、エンドガイド移動機構１４１ｄとを備えている。ここで、エンドガイド１４１ａとエンドガイド移動機構１４１ｄとを合わせたものが、本発明にいう用紙移動部材の一例に相当し、エンドガイド１４１ａが本発明にいう当接部の一例に相当する。
【００３１】
順次にブックレット１４まで搬送されて来た複数の用紙Ｐは、ブックレット１４内を矢印Ａ方向に落下する。そして各用紙Ｐの下縁が、後述する所定の用紙受け止め位置に配置されたエンドガイド１４１ａの用紙受け面１４１ａ＿１までパドル１４１ｃの回転によって案内され、その用紙受け面１４１ａ＿１で用紙下縁が受け止められる。これにより、これら複数の用紙Ｐが立った姿勢で重ね合わされる。このとき、これらの用紙Ｐの幅方向の位置は、用紙Ｐの下部を囲うように配置されているコンパイルトレイ１４９で規制される。
【００３２】
また、エンドガイド１４１ａは、モータと搬送ベルトとからなるエンドガイド移動機構１４１ｄによって矢印Ｂが示す上下方向に動かされる。複数の用紙Ｐを受け止めたエンドガイド１４１ａがこのエンドガイド移動機構１４１ｄによって動かされることにより、複数の用紙Ｐは、ブックレット１４内の後述の各位置に運ばれる。
【００３３】
ステープラ１４２では、エンドガイド移動機構１４１ｄによって動かされるエンドガイド１４１ａによって運ばれてきた、立った姿勢で重ね合わされた用紙Ｐの中央が、打込口１４２ａで挟み込まれ、この用紙Ｐの中央にステープルが打込まれ、重ね合わされた用紙Ｐ綴じられる。これにより、複数の用紙Ｐがステープルで綴じられてなる用紙束が形成される。また、ステープラ１４２が用紙Ｐを綴じる直前には、タンパ１４４の２つの壁部材１４４ａ，１４４ｂが矢印Ｃ方向に動いて、立った状態で重ね合わされた用紙Ｐの縦方向の縁が揃えられる。
【００３４】
図３には、ブレード１４３ａを備えた折り曲げ機構１４３が示されている。
【００３５】
このブレード１４３ａは、上記の用紙収納機構１４１に立った状態で収納される複数の用紙Ｐや用紙束の幅方向に延びており、用紙Ｐや用紙Ｐ束に突き当てられ、その用紙Ｐや用紙束を折り曲げる役割を担っている。
【００３６】
次に、以上に説明したブックレット１４に複数の用紙Ｐが順次に搬送されて来てから、それらの用紙Ｐにステープル処理が施されて用紙束が形成され、されにその用紙束が２つ折りに折り曲げられて小冊子が作成され、その小冊子が排出されるまでの、ブックレット１４の一連の動作について説明する。
【００３７】
図４は、図１に示すブックレットの一連の動作を示す模式図である。
【００３８】
この図４のステップＳ１０１に示すように、ブックレット１４まで順次に搬送されて来た複数の用紙Ｐは、ブックレット１４内を、図２にも示す矢印Ａ方向に落下する。このときには、エンドガイド１４１ａは、エンドガイド移動機構１４１ｄによって、ホームポジションＰｈから、後述するように用紙Ｐのサイズに応じた用紙受け止め位置Ｐ１まで動かされており、このエンドガイド１４１ａによって用紙下縁が受け止められる。これにより、複数の用紙Ｐが立った状態で重ね合わされる。
【００３９】
ステップＳ１０１に示す動作が終了し、１部の小冊子を構成する複数の用紙Ｐが全て重ね合わされると、まず、これらの用紙Ｐの中央が、ステープラ１４２の打込口１４２ａに挟み込まれるように、重ね合わされた用紙Ｐを載せたエンドガイド１４１ａがステープル位置Ｐ２まで矢印Ｂ１方向に動かされる。そして、このエンドガイド１４１ａに載せられた複数の用紙Ｐの中央がステープラ１４２によって綴じられ、用紙束Ｐｇが形成される（ステップＳ１０２）。
【００４０】
次に、ステープラ１４２によって形成された用紙束Ｐｇの中央が、折り曲げ機構１４３のブレード１４３ａの前に配置されるように、用紙束Ｐｇを載せたエンドガイド１４１ａが折り曲げ位置Ｐ３まで矢印Ｂ２方向に動かされる（ステップＳ１０３）。
【００４１】
そして、上記の折り曲げ位置Ｐ３に配置されたエンドガイド１４１ａに載せられた用紙束Ｐｇの中央に折り曲げ機構１４３のブレード１４３ａが突き当てられてこの用紙束Ｐｇが折り曲げられるとともに、その用紙Ｐｇが、互いに対向する２つのロールからなる、２セットの折り曲げロール１４３ｂそれぞれのニップ部に順次に送り込まれる（ステップＳ１０４）。これにより、用紙束Ｐｇが２つ折りに折り曲げられ、小冊子Ｐｂが作成される。
【００４２】
そして、この小冊子Ｐｂが、排出ロール１４５によって、ブックレットトレイ１４６上に排出される（ステップＳ１０５）。また、このときには、エンドガイド１４１ａは、上記のホームポジションＰｈに向かって矢印Ｂ３方向に動かされる。
【００４３】
ここで、以上図４を参照して説明したブックレットトレイ１４６の各要素の動作は、図１に示す制御部１４７が、以下に説明するフローチャートに従って、各要素を制御することによって行なわれる。また、その制御においては、画像形成装置からインタフェースモジュール４０に入力された用紙情報Ｊ１、枚数情報Ｊ２、サイズ情報Ｊ３、およびモード情報Ｊ４が、情報取得部１４８によって取得され制御に利用される。
【００４４】
図５は、ブックレットトレイの各要素に対する制御を示すフローチャートである。
【００４５】
ここで、以下の説明では、図１〜図４に示す要素を特に図番を断らずに参照する。
【００４６】
この図５のフローチャートが示す制御がスタートすると、まず、用紙Ｐに対してステープル処理を施すのか、あるいは折り曲げ処理を施すのか等といった処理の内容を指定するモード情報Ｊ４が取得される（ステップＳ２０１）。そして、このモード情報が、複数の用紙Ｐの中央をステープルで綴じ、さらに２つ折りに折り曲げるという小冊子作成処理を示す小冊子モードであるか否かが判定される（ステップＳ２０２）。ここで、このモード情報が、小冊子モードではないと判定された場合（ステップＳ２０２におけるＮｏ判定）には、そのモード情報が示す内容の処理が実行される（ステップＳ２０３）。ここで、本実施形態において本発明に関わる処理は、用紙Ｐをステープルで綴じるステープル処理と、用紙Ｐを２つ折りに折り曲げる折り曲げ処理との２処理である。以下では、ステップＳ２０３の処理において小冊子モードであると判定された場合（ステップＳ２０２におけるＹｅｓ判定）にステップＳ２０４以降の処理で実行される、上記の２処理からなる小冊子作成処理を例に挙げて説明し、ステップＳ２０３で実行される、小冊子作成処理以外の処理については説明を省略する。
【００４７】
ステップＳ２０４では、処理対象の用紙Ｐのサイズを示すサイズ情報Ｊ３が取得され、さらに、このサイズ情報Ｊ３から長さ寸法Ｌと幅寸法Ｗとが求められる。次に、１部の小冊子を構成する用紙Ｐの枚数と小冊子の総部数とを示す枚数情報Ｊ２が取得され、さらに、この枚数情報Ｊ２から、総部数Ｍと１部の枚数Ｎとが求められる（ステップＳ２０５）。
【００４８】
次に、エンドガイド移動機構１４１ｄに対して、エンドガイド１４１ａをホームポジションＰｈまで動かすように指示が出され、その指示に基づいてエンドガイド１４１ａが動かされる（ステップＳ２０６）。そして、エンドガイド１４１ａの移動の完了が確認されると、上記のホームポジションＰｈから、順次に搬送されて来る用紙Ｐを受け止める用紙受け止め位置Ｐ１までエンドガイド１４１ａを動かすのに必要な、エンドガイド移動機構１４１ｄにおけるステップモータのパルス数（以下、移動パルスと呼ぶ）が算出される（ステップＳ２０７）。この移動パルスＭ１は、ステップＳ２０４の処理で求められた長さ寸法Ｌを用いた以下の式によって算出される。
【００４９】
Ｍ１＝１０×Ｌ−２７９４  ……（１）
そして、エンドガイド移動機構１４１ｄに対して、この移動パルスＭ１分だけエンドガイド１４１ａを動かすように指示が出され、その指示に基づいてエンドガイド１４１ａが用紙受け止め位置Ｐ１まで動かされる（ステップＳ２０８）。
【００５０】
エンドガイド１４１ａの、この用紙受け止め位置Ｐ１までの移動の完了が確認されると、ブックレット１４に用紙Ｐが順次に搬送されて来る。このときには、搬送されて来る用紙Ｐの枚数が１枚づつカウントされ（ステップＳ２０９）、そのカウント結果が１部の枚数Ｎに達したか否かが判定される（ステップＳ２１０）。用紙Ｐの搬送、枚数のカウント、および枚数の判定は、搬送されて来る用紙Ｐの枚数が１部の枚数Ｎに達しない間（ステップＳ２１０の処理におけるＮｏ判定）は繰り返される。
【００５１】
搬送されて来る用紙Ｐの枚数が１部の枚数Ｎに達すると（ステップＳ２１０の処理におけるＹｅｓ判定）、まず、用紙Ｐの種類を示す用紙情報Ｊ１が取得され（ステップＳ２１１）、その用紙情報Ｊ１が示す用紙Ｐの種類が普通紙であるか否か判定される（ステップＳ２１２）。用紙Ｐの種類が普通紙であると判定された場合（ステップＳ２１２の処理におけるＹｅｓ判定）には、後の処理で用いる補正値Ｋをゼロに設定する（ステップＳ２１３）。
【００５２】
一方、用紙Ｐの種類が普通紙ではないと判定された場合（ステップＳ２１２の処理におけるＮｏ判定）には、以下の５種類の用紙種類それぞれと、５つの補正値それぞれとを互いに対応付ける補正テーブルが所定の記憶部から読み出され（ステップＳ２１４）、この補正テーブルを用紙情報Ｊ１が示す用紙Ｐの種類で検索することにより、上記の補正値Ｋが、用紙Ｐの種類に応じた値に設定される（ステップＳ２１５）。すなわち、補正値Ｋは、用紙Ｐが薄紙の場合には「−７」に設定され、第１の厚紙の場合には「１０」に設定され、この第１の厚紙とは若干厚みが異なる第２の厚紙の場合には「１５」に設定され、コート紙の場合には「−１５」に設定される。
【００５３】
ここで、これらの各値に対応する種類の用紙Ｐがブックレット１４に立った姿勢で収納されると、各用紙Ｐはその用紙Ｐのコシの強さに応じて撓んでしまう。その結果、用紙Ｐの中央の位置が、普通紙がブックレット１４に収納されたときに、普通紙のコシの強さに応じて撓んだその普通紙の中央の位置とずれてしまう。上記の各値は、各種類の用紙Ｐにおけるこの中央の位置ずれを補正するための補正値である。
【００５４】
このように補正値Ｋが設定されると、次に、エンドガイド移動機構１４１ｄの構造から決定される所定の第１のメカ補正値Ｙ１が読み出される（ステップＳ２１６）。そして、長さ寸法Ｌと、ステップＳ２１２〜ステップＳ２１６までの処理で求められた補正値Ｋおよび第１のメカ補正値Ｙ１とを用いた以下の式によって、エンドガイド１４１ａを、上記の用紙受け止め位置Ｐ１から、立った状態で重ね合わされた用紙Ｐの中央をステープラ１４２の打込口１４２ａの間に配置するステープル位置Ｐ２まで動かすのに必要な移動パルスＭ２が算出される（ステップＳ２１７）。
【００５５】
Ｍ２＝（（１０×Ｌ−３５６８）／２）＋Ｙ１＋Ｋ  ……（２）
（２）式によって上記の移動パルスＭ２が得られると、その移動パルスＭ２が正であるか否かが判定される（ステップＳ２１８）。移動パルスＭ２が正である場合（ステップＳ２１８の処理におけるＹｅｓ判定）には、エンドガイド１４１ａの移動方向が下方に設定され（ステップＳ２１９）、移動パルスＭ２が負である場合（ステップＳ２１８の処理におけるＮｏ判定）には、エンドガイド１４１ａの移動方向が上方に設定される（ステップＳ２２０）。そして、エンドガイド移動機構１４１ｄに対して、この移動方向に、上記の移動パルスＭ２分だけエンドガイド１４１ａを動かすように指示が出され、その指示に基づいてエンドガイド１４１ａがステープル位置Ｐ２まで動かされる（ステップＳ２２１）。エンドガイド１４１ａの、ステープル位置Ｐ２までの移動の完了が確認されると、続いて、ステープラ１４２に対してステープル処理の実行が指示され、この指示に基づいて複数の用紙Ｐの中央がステープルで綴じられ、用紙束Ｐｇが形成される（ステップＳ２２２）。
【００５６】
本実施形態によれば、このように補正値Ｋによって、用紙Ｐの種類に応じた用紙Ｐ中央の位置ずれが補正されるので、処理対象の用紙Ｐの種類が上記の５種類のうちのいずれであっても、必ず、重ね合わされた用紙Ｐの中央をステープルで綴じることができる。
【００５７】
次に、上記の第１のメカ補正値Ｙ１とは値が異なる第２のメカ補正値Ｙ２が読み出され（ステップＳ２２３）、これら第１および第２のメカ補正値Ｙ１，Ｙ２と、上記の補正値Ｋとを用いた以下の式によって、エンドガイド１４１ａを、上記のステープル位置Ｐ２から、用紙束Ｐｇの中央を折り曲げ機構１４３のブレード１４３ａの前に配置する折り曲げ位置Ｐ３まで動かすのに必要な移動パルスＭ３が算出される（ステップＳ２２４）。
【００５８】
Ｍ３＝３５０＋Ｙ１＋Ｋ＋Ｙ２  ……（３）
そして、エンドガイド移動機構１４１ｄに対して、この移動パルスＭ３分だけエンドガイド１４１ａを動かすように指示が出され、その指示に基づいてエンドガイド１４１ａが折り曲げ位置Ｐ３まで動かされる（ステップＳ２２５）。
【００５９】
エンドガイド１４１ａの、折り曲げ位置Ｐ３までの移動の完了が確認されると、折り曲げ機構１４３に対して折り曲げ処理の実行が指示され、この指示に基づいて、用紙束Ｐｇの中央にブレード１４３ａが突き当てられ、この用紙束Ｐｇが折り曲げられることにより小冊子Ｐｂが作成される（ステップＳ２２６）。
【００６０】
このように、本実施形態によれば、用紙束Ｐｇの折り曲げ処理の前のエンドガイド１４１ａの移動に必要な移動パルスＭ３の算出にも上記の補正値Ｋが用いられるので、用紙束Ｐｇの中央の位置ずれが補正され、用紙束Ｐｇを構成する用紙Ｐの種類が上記の５種類のうちのいずれであっても、必ず用紙束Ｐｇを中央で２つ折りに折り曲げることができる。
【００６１】
そして、小冊子Ｐｂが排出ロール１４５によってブックレットトレイ１４６上に排出されるとともに小冊子Ｐｂの部数がカウントされる（ステップＳ２２７）。そして、部数のカウント結果がステップＳ２０５で求められた総部数Ｍに達したか否かが判定され（ステップＳ２２８）、部数のカウント結果が総部数Ｍに達した場合（ステップＳ２２８の処理におけるＹｅｓ判定）には処理を終了する。一方、部数のカウント結果が総部数Ｍに達していない場合（ステップＳ２２８の処理におけるＮｏ判定）には、ステップＳ２０６の前まで戻って、エンドガイド１４１ａが一旦ホームポジションＰｈまで戻され、ステップＳ２２７までの処理がもう一度繰り返される。
【００６２】
以上、図１〜図５を参照して説明したように、本実施形態のブックレット１４によれば、ステープル処理や折り曲げ処理の前のエンドガイド１４１ａの移動に必要な移動パルスの算出に、処理対象の用紙Ｐの種類に応じた補正値Ｋが用いられ、用紙Ｐの中央の位置ずれが補正されるので、用紙Ｐは必ず中央がステープルで綴じられ、中央で２つ折りに折り曲げられる。つまり、本実施形態のブックレット１４によれば、様々な種類の用紙Ｐについて、複数の用紙Ｐの中央等といった所定箇所を綴じることができるとともに、このような所定箇所を折り曲げることができる。
【００６３】
尚、上記では、本発明の用紙折り装置の一実施形態として、ステープルで中央が綴じられた複数の用紙を中央で２つ折りに折り曲げるブックレットを挙げたが、本発明の用紙折り装置はこれに限るものではなく、例えば、用紙を１枚ずつ２つ折りに折り曲げる装置であっても良い。
【００６４】
また、上記では、本発明の用紙折り装置および本発明のステープル処理装置の一実施形態として、これら両装置を兼ねる、複数の用紙の中央をステープルで綴じ、さらに、綴じられた複数の用紙を中央で２つ折りに折り曲げるブックレットを挙げたが、本発明の用紙折り装置および本発明のステープル処理装置はこれに限るものではなく、それぞれ、用紙を所望の位置で２つ折りに折り曲げる装置、および複数の用紙における所望の位置をステープルで綴じる装置であれば良い。
【図面の簡単な説明】
【００６５】
【図１】本発明の一実施形態を備えた後処理装置の一例を示す図である。
【図２】ブックレットをブックレットトレイ側から見た斜視図である。
【図３】ブックレットを図２とは反対側から見た斜視図である。
【図４】図１に示すブックレットの一連の動作を示す模式図である。
【図５】ブックレットトレイの各要素に対する制御を示すフローチャートである。
【符号の説明】
【００６６】
１    後処理装置
１０    最終処理装置
１１    用紙排出装置
１２    パンチ装置
１３    トップトレイ
１４    ブックレット
１４１    用紙収納機構
１４１ａ    エンドガイド
１４１ｂ    コンパイルトレイ
１４１ｃ    パドル
１４１ｄ    エンドガイド移動機構
１４２    ステープラ
１４２ａ    打込口
１４３    折り曲げ機構
１４３ａ    ブレード
１４３ｂ    折り曲げロール
１４４    タンパ
１４４ａ，１４４ｂ    壁部材
１４５    排出ロール
１４６    ブックレットトレイ
１４７    制御部
１４８    情報取得部
１５    用紙搬送経路
１６    搬送ロール
１７    用紙センサ
１８    トップトレイ排出口
２０    折畳装置
２１    折畳用紙搬送経路
２２    通常搬送経路
２３    搬送ロール
２４    用紙センサ
２５    折畳ロール
２６    収納部
３０    インタポーザ
３１    用紙トレイ
３２    ピックアップロール
３３    搬送ロール
３４    用紙センサ
４０    インタフェースモジュール
４１    搬送ロール
４２    用紙搬送経路
４３    用紙センサ
【図１】
2006076675.tif 000003
【図２】
2006076675.tif 000004
【図３】
2006076675.tif 000005
【図４】
2006076675.tif 000006
【図５】
2006076675.tif 000007